(57)【特許請求の範囲】
【請求項１】
吸収性物品を包装用シートにより覆うことによって形成された第１の個包装体と、第２の個包装体とを具備する個包装製品であって、
前記包装用シートが、中間領域と、当該中間領域の両側にそれぞれ位置する第１の領域及び第２の領域とを有し、第２の領域が、前記吸収性物品を間に挟んで中間領域上に折り重ねられると共に、第１の領域が第２の領域の一部の上に折り重ねられ、そして第１の領域が、第２の領域の外面に固定されており、
第２の個包装体が、第１の領域及び第２の領域の上に配置され、且つ第１の領域の外面の少なくとも一部と、第２の領域の外面の少なくとも一部とに固定されており、
第２の個包装体の、第２の領域の固定端側に位置する端部を摘持し、第２の個包装体を持ち上げることにより、前記吸収性物品が取り出される、
ことを特徴とする個包装製品。
【請求項２】
摘持用タブにより、第１の領域が、第２の領域の外面にさらに固定されている、請求項１に記載の個包装製品。
【請求項３】
第１の領域の固定端側に位置する、第２の個包装体の第１の端部が、第１の領域の外面に固定されていない、請求項１又は２に記載の個包装製品。
【請求項４】
第２の個包装体が、包装されたワイプス、タンポン及び陰唇間パッドから成る群から選択される、請求項１〜３のいずれか一項に記載の個包装製品。
【請求項５】
第２の個包装体が包装されたワイプスであり、当該ワイプスの包装が、使用済みの吸収性物品を前記包装用シートで包装した後に、中のワイプスを簡易に取り出すことができる簡易開封部を有する、請求項４に記載の個包装製品。
【請求項６】
前記包装用シートの素材が、不織布又は紙である、請求項１〜５のいずれか一項に記載の個包装製品。
【請求項７】
第２の個包装体が、前記個包装製品の開封方向の目安となる形態を有するか、又は前記個包装製品の開封方向の目安となる印刷を第２の個包装体の表面に有する、請求項１〜６のいずれか一項に記載の個包装製品。
【請求項８】
前記吸収性物品が、生理用ナプキン、パンティーライナー及びタンポンから成る群から選択される、請求項１〜７のいずれか一項に記載の個包装製品。
【請求項９】
前記吸収性物品が紙おむつであり且つ第２の個包装体がワイプスである、請求項１〜７のいずれか一項に記載の個包装製品。
【発明の詳細な説明】
【技術分野】
【０００１】
本発明は、吸収性物品を包装用シートにより覆うことによって形成された第１の個包装体と、第２の個包装体とを具備する個包装製品に関する。
【背景技術】
【０００２】
従来、生理用ナプキン、パンティーライナー、紙オムツ等の吸収性物品を、１つずつ包装用シートで包んだ個包装型の製品が知られている（例えば、特許文献１及び特許文献２）。吸収性物品を個包装化することにより、中の吸収性物品を１つずつ、簡易に且つ衛生的に持ち運ぶことができる。
【０００３】
また、特許文献３に示されるように、拭き取りワイプが取り付けられた個包装生理用ナプキンも知られている。個包装生理用ナプキンに拭き取りワイプを取り付けることにより、生理用ナプキンの交換の際に、汚れた場所を拭き取りワイプで拭くことができて便利である。
【０００４】
しかし、特許文献３の第１２図Ｂ又は第１５図に示される個包装生理用ナプキンでは、リリースラッパーの内側部分と外側部分とがテープタブで固定されているだけなので、内側部分（例えば、図１５の５２ａ）と、外側部分（例えば、図１５の５３ａ）との隙間から、ゴミが浸入する可能性があり、衛生面の問題が生じうる。
【０００５】
また、特許文献３の第１２図Ｂ又は第１５図に示される個包装生理用ナプキンには、生理用ナプキンの交換の一連の手順が行いにくいという問題がある。
【０００６】
生理用ナプキンを交換する場合には、個包装生理用ナプキンを開封し、新しい生理用ナプキンを包装用シートから分離し、使い終えた生理用ナプキンを先ほどの包装用シートに粘着させ、そして当該包装用シートで使い終えた生理用ナプキンをくるむのが一般的な手順である。個包装生理用ナプキンに拭き取りワイプが取り付けられている場合には、上記作業の後、拭き取りワイプを開封し、中のワイプを取り出し、そして汚れた部分をきれいにするのが一般的である。
【０００７】
しかし、特許文献３の第１２図Ｂ又は第１５図の個包装生理用ナプキンでは、未使用の拭き取りワイプが第２部分に取り付けられたまま、包装用シートにより使い終えた生理用ナプキンをくるもうとすると、拭き取りワイプが邪魔になるので、くるむ前に、拭き取りワイプを包装用シートから引き剥がす等の対応が使用者に強いられる。
【０００８】
また、特許文献３の図１２Ａに示される個包装生理用ナプキンでは、リリースラッパーの「外側部分」の上に、フラップにより囲まれた拭き取りワイプがあるものの、リリースラッパーの内側部分と外側部分とがテープタブで固定されているのみである。従って、特許文献３の図１２Ａに示される個包装生理用ナプキンには、第１２図Ｂ又は第１５図の形態と同様に、リリースラッパーの内側部分と外側部分との隙間から、ゴミが浸入する可能性があり、衛生面の問題が生じうる。
【０００９】
また、特許文献３の図１２Ａの個包装生理用ナプキンでは、リリースラッパーが、拭き取りワイプの袋の役割を兼ねているので、当該拭き取りワイプが、薬液等を含むウェットタイプである場合には、上記リリースラッパーに耐水性素材を用いる必要があり、コスト増につながることも考えられる。
【先行技術文献】
【特許文献】
【００１０】
【特許文献１】特開平９−１０２５７号公報
【特許文献２】特開平９−１０２５８号公報
【特許文献３】特表平７−５０６０３４号公報
【発明の概要】
【発明が解決しようとする課題】
【００１１】
従って、本発明は、ゴミが浸入しにくく、衛生的に持ち運ぶことができる個包装製品を提供することを課題とする。
【課題を解決するための手段】
【００１２】
本発明者らは、上記課題を解決するために鋭意検討した結果、吸収性物品を包装用シートにより覆うことによって形成された第１の個包装体と、第２の個包装体とを具備する個包装製品であって、上記包装用シートが、中間領域と、当該中間領域の両側にそれぞれ位置する第１の領域及び第２の領域とを有し、第２の領域が、上記吸収性物品を間に挟んで中間領域上に折り重ねられると共に、第１の領域が第２の領域の一部の上に折り重ねられ、そして第１の領域が、第２の領域の外面に固定されており、そして第２の個包装体が、第１の領域及び第２の領域の上に配置され且つ第１の領域の外面の少なくとも一部に固定されていることを特徴とする個包装製品により、上記課題を解決できることを見出し、本発明を完成するに至った。
【００１３】
具体的には、本発明は以下の態様に関する。
［態様１］
吸収性物品を包装用シートにより覆うことによって形成された第１の個包装体と、第２の個包装体とを具備する個包装製品であって、
上記包装用シートが、中間領域と、当該中間領域の両側にそれぞれ位置する第１の領域及び第２の領域とを有し、第２の領域が、上記吸収性物品を間に挟んで中間領域上に折り重ねられると共に、第１の領域が第２の領域の一部の上に折り重ねられ、そして第１の領域が、第２の領域の外面に固定されており、そして
第２の個包装体が、第１の領域及び第２の領域の上に配置され且つ第１の領域の外面の少なくとも一部に固定されている、
ことを特徴とする個包装製品。
【００１４】
［態様２］
第２の個包装体が、第２の領域の外面の少なくとも一部にさらに固定されている、態様１に記載の個包装製品。
［態様３］
第１の領域の固定端側に位置する、第２の個包装体の第１の端部が、第１の領域の外面に固定されていない、態様１又は２に記載の個包装製品。
【００１５】
［態様４］
第２の個包装体が、包装されたワイプス、タンポン及び陰唇間パッドから成る群から選択される、態様１〜３のいずれか一つに記載の個包装製品。
［態様５］
第２の個包装体が包装されたワイプスであり、当該ワイプスの包装が、使用済みの吸収性物品を上記包装用シートで包装した後に、中のワイプスを簡易に取り出すことができる簡易開封部を有する、態様４に記載の個包装製品。
【００１６】
［態様６］
上記包装用シートの素材が、不織布又は紙である、態様１〜５のいずれか一つに記載の個包装製品。
［態様７］
第２の個包装体が、上記個包装製品の開封方向の目安となる形態を有するか、又は上記個包装製品の開封方向の目安となる印刷を第２の個包装体の表面に有する、態様１〜６のいずれか一つに記載の個包装製品。
【００１７】
［態様８］
上記吸収性物品が、生理用ナプキン、パンティーライナー、紙オムツ及びタンポンから成る群から選択される、態様１〜７のいずれか一つに記載の個包装製品。
［態様９］
上記吸収性物品が紙おむつであり且つ第２の個包装体がワイプスである、態様１〜７のいずれか一つに記載の個包装製品。
【発明の効果】
【００１８】
態様１の発明は、第２の個包装体が、第１の領域及び第２の領域の上に配置されているので、第１の領域の自由端と第２の領域の外面との間からゴミが浸入しにくく、個包装製品を衛生的に持ち運ぶことができる。
態様２の発明は、第２の個包装体が、第１の領域の外面の少なくとも一部と、第２の領域の外面の少なくとも一部との両方に固定されているので、態様１の発明よりもゴミが浸入しにくく、本発明の個包装製品をさらに衛生的に持ち運ぶことができる。
態様３の発明は、第２の個包装体の第１の端部が、第１の領域の外面に固定されていないので、第１の端部側から、第２の個包装体を開封しやすい。
態様５の発明では、ワイプスの包装が簡易開封部を有するので、中のワイプスを簡易に取り出すことができて便利である。
態様７の発明では、第２の個包装体が特定の形態又は印刷を有するので、摘持用タブが無いか又は摘持用タブ４が第２の個包装体２２に隠れている場合、十分な光量が得られない場合等であっても、個包装製品の開封方向を簡易に判断することができる。
態様８及び態様９の発明では、吸収性物品の交換の際に用いられるもの又は吸収性物品と併用して用いられうるものが吸収性物品とセットになっているので便利である。
【図面の簡単な説明】
【００１９】
【図１】図１は、本発明の個包装製品の一態様の斜視図である。
【図２】図２は、吸収性物品が生理用ナプキンである第１の個包装体の特定の態様の展開図である。
【図３】図３は、図１に示される個包装製品の１態様のＡ方向の断面図である。
【図４】図４は、本発明の個包装製品における、第２の個包装体の固定方法のバリエーションの例を示す断面図である。
【図５】図５は、第２の個包装体が包装されたタンポンである本発明の個包装製品の正面図である。
【図６】図６は、第２の個包装体が包装された陰唇間パッドである本発明の個包装製品の正面図である。
【図７】図７は、包装されたワイプスの包装の例を示す正面図である。
【図８】図８は、第２の個包装体の形状のバリエーションの例を示す図である。
【図９】図９は、吸収性物品の交換に当たり、包装されたワイプス３を開封する直前の本発明の個包装製品１の断面を模式的に示す図である。
【図１０】図１０は、吸収性物品がタンポンであり且つ第２の個包装体がピロー型包装を有するワイプスである個包装製品１の正面図である。
【図１１】図１１は、図１０に示す第１の個包装体２の展開図である。
【発明を実施するための形態】
【００２０】
本発明の個包装製品について、以下、図面を用いて詳細に説明する。
図１は、本発明の個包装製品の一態様の斜視図である。図１に示される個包装製品１は、シールライン６Ａ及び６Ｂ、並びに摘持用タブ４により封がされた第１の個包装体２の上に、第２の個包装体としての包装されたワイプス３が固定されている。使用者は、使用の際に、摘持用タブ４をＢ方向に持ち上げて中の吸収性物品を取り出すことができる。
【００２１】
シールライン６Ａ及び６Ｂは、当技術分野で通常用いられるものであり、例えば、熱で溶着させたヒートシール、接着剤、ホットメルト等を用いて実施することができる。上記シールライン、特にシールライン６Ｂは、所望により実施されるものである。
【００２２】
図２は、吸収性物品７が生理用ナプキンである第１の個包装体２の特定の態様の展開図である。
図２（ａ）には、３つ折りタイプの第１の個包装体２が示されている。図２（ａ）の第１の個包装体２は、吸収性物品７及び包装用シート５から形成され、吸収性物品７の裏面が、包装用シート５で覆われ且つ包装用シート５に固定されている。
【００２３】
吸収性物品７を包装用シート５に固定する手段としては、例えば、当技術分野で通常用いられている粘着剤を挙げることができる。
本明細書において、吸収性物品の「裏面」は、使用時に衣服側を向く面を意味する。なお、吸収性物品の「表面」は、使用時に人体側を向く面を意味する。
【００２４】
図２（ａ）の包装用シート５は、中間領域１１と、当該中間領域１１の両側にそれぞれ位置する第１の領域９と第２の領域１０とを有する。個包装された状態では、吸収性物品７の表面８が内向きになるように、第２の領域１０が、吸収性物品７と共に、折り目線Ｙに沿って折り曲げられて中間領域１１上に折り重ねられ、次いで、第１の領域９が、折り目線Ｘに沿って折り曲げられて第２の領域１０の一部の上に折り重ねられ、摘持用タブ４により、第１の領域９が第２の領域１０の外面１３に固定されている。
【００２５】
本明細書において、第１の領域及び第２の領域における「外面」とは、個包装された状態において外側を向く面を意味する。一方、第１の領域及び第２の領域における「内面」とは、個包装された状態において内側を向く面を意味する。
【００２６】
図２（ｂ）には、４つ折りタイプの第１の個包装体２が示されている。図２（ｂ）の第１の個包装体２は、図２（ａ）と同様、吸収性物品７及び包装用シート５から形成され、吸収性物品７の裏面が、包装用シート５で覆われ且つ包装用シート５に固定されている。
【００２７】
図２（ｂ）の包装用シート５は、中間領域１１と、当該中間領域１１の両側にそれぞれ位置する第１の領域９と、第２の領域１０とを有する。第２の領域１０は、第２の領域の自由端１４Ｄを含む第２の領域の一部１５と、第２の領域の一部１５及び中間領域１１の間に位置する第２の領域の残りの部分１６とをさらに有する。
【００２８】
個包装された状態では、吸収性物品７の表面８が内向きになるように、第２の領域の一部１５が、吸収性物品７と共に、折り目線Ｚに沿って折り曲げられて第２の領域の残りの部分１６上に折り重ねられた上、折り目線Ｙに沿って折り曲げられて中間領域１１上に折り重ねられ、次いで、第１の領域９が、折り目線Ｘに沿って折り曲げられて第２の領域１０（より具体的には、第２の領域の残りの部分１６）の一部の上に折り重ねられ、摘持用タブ４により、第１の領域９が第２の領域１０（より具体的には、第２の領域の残りの部分１６）の外面１３に固定されている。
【００２９】
１４Ａ，１４Ｂ及び１４Ｃは、それぞれ、第１の領域の自由端、第１の領域の固定端及び第２の領域の固定端を意味し、そして１７Ａ及び１７Ｂは、包装用シートの側縁を意味する。
本明細書において、「固定端」は、第１の領域又は第２の領域の、中間領域と接する端部を意味し、そして「自由端」は、第１の領域又は第２の領域の、中間領域と反対側の端部を意味する。
【００３０】
図２（ａ）のように、吸収性物品７の裏面が、包装用シート５の中間領域１１、第１の領域９及び第２の領域１０の３つの領域に粘着剤等で固定されている場合には、吸収性物品７は、包装用シート５と共に３つ折りにされるのが原則であるが、例えば、吸収性物品７の裏面が、包装用シート５の中間領域１１及び第２の領域１０の２つの領域に固定されている場合には、吸収性物品７は、包装用シート５と共に二つ折りにされてもよい。
【００３１】
また、図２（ｂ）のように、吸収性物品７の裏面が、包装用シート５の中間領域１１、第１の領域９、第２の領域の一部１５及び第２の領域の残りの部分１６に粘着剤等で固定されている場合には、吸収性物品７は、包装用シート５と共に四つ折りにされるのが原則であるが、例えば、吸収性物品７の裏面が、包装用シート５の中間領域１１、第２の領域の一部１５及び第２の領域の残りの部分１６に固定されている場合、あるいは吸収性物品７の裏面が、包装用シート５の中間領域１１、第１の領域９及び第２の領域の残りの部分１６に固定されている場合には、吸収性物品７は、包装用シート５と共に三つ折りにされてもよい。
吸収性物品７が、後述のパンティーライナーである場合にも、当該パンティーライナーを、生理用ナプキンと同様に、図２（ａ）及び図２（ｂ）に示すような態様で個包装することができる。
【００３２】
一方、吸収性物品７の裏面が、包装用シート５に固定されていない場合には、吸収性物品７は、（ｉ）包装用シートと共に１回若しくは複数回折り重ねられ個包装されている、又は（ｉｉ）包装用シートとは別個に、１回若しくは複数回折り重ねられた上で包装用シート５により個包装されている、あるいは（ｉｉｉ）折り重ねられることなく包装用シート５に個包装されていることができる。
【００３３】
（ｉ）及び（ｉｉ）の態様の吸収性物品としては、裏面の粘着部分があらかじめ剥離紙等で覆われている生理用ナプキン及びパンティーライナー、並びに後述の紙おむつが挙げられ、そして（ｉｉｉ）の態様の吸収性物品としては、タンポンが挙げられる。
【００３４】
本発明に用いられる吸収性物品としては、包装用シートにより個包装された形態で販売されうるものであれば特に制限されないが、例えば、生理用ナプキン、パンティーライナー並びに紙オムツ、例えば、テープタイプ紙おむつ及びパンツタイプ紙おむつを挙げることができる。
【００３５】
本発明に用いられる包装用シートは、個包装のために当技術分野で用いられるものであれば特に制限されないが、不織布、フィルム、紙、及びこれらのラミネート等を挙げることができる。また、上記吸収性物品が生理用ナプキン、パンティーライナー等である場合には、吸収性物品をショーツに貼り付けるための粘着部分を保護するために、シリコーン等の離型処理を加えた包装用シートを用いることができる。
【００３６】
本発明に用いられる第１の個包装体としては、上述の包装用シートにより１つずつ包装された生理用ナプキン、パンティーライナー、紙オムツ及びタンポンを挙げることができる。
吸収性物品が生理用ナプキンである第１の個包装体としては、特許文献１及び２、特開２００３−１７５９９０号公報、並びに特開２００６−２８０５２２号公報に記載される生理用ナプキン包装体をそのまま用いることができる。
吸収性物品がタンポンである第１の個包装体としては、特開２００８−２５９５８３号公報に記載される生理用タンポンの個包装体をそのまま用いることができる。
【００３７】
図３は、図１に示される個包装製品１の１態様の方向Ａの断面図であり、吸収性物品７が、包装用シート５と共に三つ折りにされている。図３では、第１の領域９が、吸収性物品７と共に、第２の領域の外面１３に折り重ねられ、そして摘持用タブ４により第１の領域９が第２の領域１０の外面１３に固定されている。第１の領域９の上には、第２の個包装体としてのワイプス３が、接着剤１８により固定されている。ワイプス３は、第１の領域の固定端１４Ｂ側の第１の端部１９と、第１の領域の自由端１４Ａ側の第２の端部２０とを有する。
【００３８】
図３の個包装製品１では、包装されたワイプス３が摘持用タブ４の全体を覆っておらず、摘持用タブの端部４Ｂが、第２の端部２０よりも第２の領域の固定端１４Ｃよりに存在し、使用者が摘持用タブの端部４Ｂを直接掴むことができる。従って、使用の際、使用者は摘持用タブ４を掴んで持ち上げ、中の吸収性物品７を取り出すことができる。
【００３９】
一方、使用者は、摘持用タブ４の代わりに、第２の端部２０付近を掴んで持ち上げ、中の吸収性物品７を取り出すこともできる。第２の端部２０を掴んで持ち上げることが想定される場合には、接着剤１８は、第２の端部２０よりに存在することが好ましい。より開封しやすくなるからである。接着剤１８は、摘持用タブ４の一部の上に存在していてもよい。
【００４０】
図３のワイプス３では、第１の端部１９及び第２の端部２０付近は第１の個包装体２に固定されておらず、ワイプス３の中央領域２１のみが、接着剤１８により、第１の個包装体２に固定されている。
【００４１】
本明細書において、「粘着」の用語は、一時的な固定を意味する。本明細書において、「接着」の用語は、永久的な固定と、一時的な固定との両方を含む。
また、本明細書において、「粘着剤」は、一時的な固定のために用いられる剤を意味し、「接着剤」は、永久的な固定のために用いられる剤と、一時的な固定のために用いられる剤との両方を含む。
【００４２】
接着剤１８としては、当技術分野で通常用いられている接着剤、例えば、ホットメルト接着剤、例えば、ポリオレフィン（例えば、ポリエチレン及びポリプロピレン）系ホットメルト接着剤、エチレン・酢酸ビニル共重合体系ホットメルト接着剤、合成ゴム（例えば、スチレン系ポリマー、ブタジエン系ポリマー、イソプレン系ポリマー）系ホットメルト接着剤、アクリル樹脂系粘着剤等が挙げられる。
【００４３】
接着剤１８が適用される領域に関する、第２の個包装体の側縁２５Ａ及び２５Ｂの方向の幅は、ゴミの浸入防止の観点からは長い方が好ましい。しかし、第２の個包装体の端部まで接着されていると、第２の個包装体自体の開封が難しくなる場合がある。従って、第２の個包装体の側縁２５Ａ及び２５Ｂ付近には、ある程度の非接着部分が残ることが好ましい。
【００４４】
吸収性物品７が生理用ナプキン又はパンティーライナーである場合、接着剤１８が適用される領域に関する第１の端部１９及び第２の端部２０の方向の長さは、好ましくは４ｃｍ以下、より好ましくは３ｃｍ以下である。使い終えた吸収性物品を包装用シートでくるむと、後述の図９に示すように、包装用シートにより包装された使用済みの吸収性物品２９の断面の直径は、一般的に、約３〜４ｃｍになるからである。
【００４５】
図４は、本発明の個包装製品における、第２の個包装体の固定の様式のバリエーションの例を示す断面図である。図４（ａ）の個包装製品１では、摘持用タブ４は、第１の領域９を第２の領域１０の外面１３に固定しているものの、摘持用タブ４の全体が、第２の個包装体２２に隠れている。従って、使用者は、摘持用タブ４の代わりに、第２の端部２０付近を持ち上げ、中の吸収性物品７を取り出すことができる。図４（ａ）の場合には、開封のしやすさを考慮すると、接着剤１８が、第２の端部２０よりに存在することが好ましい。接着剤１８は、摘持用タブ４の一部の上にも存在することができる。
【００４６】
図４（ｂ）の個包装製品１では、摘持用タブ４が存在せず、第２の個包装体２２が、接着剤１８により、第１の領域９を第２の領域の外面１３に固定している。図４（ｂ）の態様は、摘持用タブ４を省略することができるので、コスト的に有利である。
なお、図４（ｂ）の態様では、接着剤１８は、一時的な固定を目的とする粘着剤であることが好ましい。使用の際に、接着剤１８の少なくとも一部を剥がす必要があるからである。
【００４７】
図４（ｂ）の態様は、第２の個包装体が、第１の領域９及び第２の領域の外面１３を覆い、さらに第１の領域９及び第２の領域の外面１３の両方を接着剤で固定しているので、第１の領域９及び第２の領域の外面１３の間の隙間が少なく、ゴミがより浸入しにくいので好ましい。また、図４（ｂ）の態様では、第１の領域９及び第２の領域の外面１３の間の隙間からゴミが浸入しにくいので、図１に６Ｂとして示されるシールラインを省略することができ、コスト的に有利となりうる。
【００４８】
本明細書において、第２の個包装体としては、吸収性物品の交換の際に用いられるもの又は吸収性物品と併用して用いられうるものが挙げられる。上記吸収性物品の交換の際に用いられるものとしては、例えば、包装されたワイプスが挙げられ、上記吸収性物品と併用して用いられうるものとしては、例えば、包装されたタンポン、陰唇間パッドが挙げられる。
【００４９】
本明細書において、第１の個包装体及び第２の個包装体の「個包装体」に含まれる量は、１度に使用される量であり、例えば、生理用ナプキン、パンティーライナー、タンポン及び陰唇間パッドの場合には、通常、１つ又は１枚であるが、包装されたワイプスの場合には、その大きさ等により、１枚又は複数枚が含まれる。
【００５０】
図５は、第２の個包装体が包装されたタンポン２３である個包装製品の正面図である。図５では、第１の個包装体２の第１の領域９及び第２の領域の外面１３が、摘持用タブ４により固定されているが、図４（ｂ）のように、摘持用タブ４の代わりに、包装されたタンポン２３そのものにより、第１の個包装体２の第１の領域９及び第２の領域の外面１３を固定することができる。
【００５１】
また、第２の個包装体としての包装されたタンポン２３は、時計回りに９０°、１８０°又は２７０°回転された状態で、第１の個包装体２に固定されてもよい。
上記包装されたタンポンとしては、特開２００８−２５９５８３号公報に記載される生理用タンポンの個包装体をそのまま用いることができる。
【００５２】
図６は、第２の個包装体が、包装された陰唇間パッド２４である個包装製品の正面図である。図６では、第１の個包装体２の第１の領域９及び第２の領域の外面１３は、摘持用タブ４により固定されているが、図４（ｂ）のように、摘持用タブ４の代わりに、包装された陰唇間パッド２４そのものにより、第１の個包装体２の第１の領域９及び第２の領域の外面１３を固定することができる。
【００５３】
また、第２の個包装体としての包装された陰唇間パッド２４は、時計回りに９０°、１８０°又は２７０°回転された状態で、第１の個包装体２に固定されてもよい。
上記包装された陰唇間パッドとしては、国際公開第２００２／０９４１４９号パンフレットに記載される個包装された陰唇間パッドをそのまま用いることができる。
【００５４】
図７は、第２の個包装体が包装されたワイプス３である場合の、包装のバリエーション例を示す図である。なお、図７では、第１の個包装体との位置関係を理解しやすくするため、第１の個包装体２を点線で示してある。開封時には、摘持用タブ４又はワイプスを、向かって左側に持ち上げて、個包装製品１を開封することができる。
【００５５】
図７（ａ）では、ピロー型包装を有するワイプス３Ａ（以下、「ワイプス３Ａ」と称する）が示されている。図７（ｂ）では、三方シール型包装を有するワイプス３Ｂ（以下、「ワイプス３Ｂ」と称する）が示されている。図７（ｃ）では、四方シール型包装を有するワイプス３Ｃ（以下、「ワイプス３Ｃ」と称する）が示されている。
【００５６】
本明細書において、「ピロー型包装」とは、包装材を円筒形にし、その両端をシールすることにより製造された包装である。また、「三方シール型包装」とは、包装材を二つ折りにし、二つ折りにした部分以外の三方をシールすることにより製造された包装である。そして「四方シール型包装」は、二つの包装材を重ね、四方をシールすることにより製造された包装である。
【００５７】
これらのワイプス３Ａ、３Ｂ及び３Ｃは、使用済みの吸収性物品を上記包装用シートでくるんだ後に、中のワイプスを簡易に取り出すための簡易開封部を有することが好ましい。
【００５８】
図９は、吸収性物品の交換に当たり、包装されたワイプス３を開封する直前の本発明の個包装製品１の断面を模式的に示す図である。吸収性物品の交換の一般的な手順は、以下の通りである。まず、本発明の個包装製品１を開封し、新品の吸収性物品７を包装用シート５から剥がす。次いで、使用済みの吸収性物品を、先ほどの包装用シート５でくるんで、包装用シートにより包装された使用済みの吸収性物品２９をつくる。次いで、包装用シートにより包装された使用済みの吸収性物品２９に固定されている包装されたワイプス３を開封し、汚れた部位をきれいにする。次いで、新しい吸収性物品をショーツに固定する。
【００５９】
上述のように、包装されたワイプス３からワイプスを取り出す直前は、個包装製品は、図９の様な状態になっていることが多いので、包装されたワイプス３の第１の端部１９及び／又は第２の端部２０に沿って、包装されたワイプス３を開封できるような簡易開封部があると便利であると考えられる。
【００６０】
図７（ａ）では、ピロー型包装を有する第２の個包装体の側縁２５Ａ及び２５Ｂに、簡易開封部として複数の切り込みを有するギザ部が取り付けられている。当該ギザ部のところから、第１の端部１９及び／又は第２の端部２０に沿って包装を開封し、中のワイプスを簡易に取り出すことができる。なお、上記ギザ部は、包装用シートの２つの側縁２５Ａ及び２５Ｂの一方又は両方に存在することができる。
なお、本明細書において、「第２の個包装体の側縁」とは、第１の個包装体に接着された後に第１の個包装体の側縁と同じ側となる、第２の個包装体の端部を意味する。
【００６１】
図７（ｂ）の三方シール型包装では、第２の端部２０及びワイプスの側縁２５Ａ，２５Ｂの計３カ所がシールされている。また、ワイプスの側縁２５Ａ，２５Ｂのうち、第２の端部２０付近のところに、簡易開封部として切込み部２６Ａ及び２６Ｂが設けられている。切込み部２６Ａ及び２６Ｂの間には、所望によるガイド用ライン２７が設けられている。開封時には、切込み部２６Ａ又は２６Ｂから、ガイド用ライン２７に沿って開封し、ワイプスを取り出すことができる。ガイド用ライン２７は、例えば、点線等の印刷であることができる。
なお、図７（ｂ）では、斜線部分は、シール部分を意味する。
【００６２】
図７（ｃ）の四方シール型包装では、第１の端部１９及び第２の端部２０、並びにワイプスの側縁２５Ａ及び２５Ｂの計４カ所がシールされている。また、ワイプスの側縁２５Ａには、簡易開封部として、第１の端部１９付近にノッチ２８Ａ、そして第２の端部２０付近にノッチ２８Ｂが設けられ、一方、ワイプスの側縁２５Ｂには、第１の端部１９付近にノッチ２８Ｃ、そして第２の端部２０付近にノッチ２８Ｄが設けられている。さらに、ノッチ２８Ａ及びノッチ２８Ｃの間、並びにノッチ２８Ｂ及びノッチ２８Ｄの間には、それぞれ、所望によるガイド用ライン２７が設けられている。開封時には、いずれかのノッチから、第１の端部１９又は第２の端部２０に沿って開封し、ワイプスを取り出すことができる。
なお、図７（ｃ）では、斜線部分は、シール部分を意味する。
【００６３】
包装されたワイプス３の包装としては、上述のピロー型包装、三方シール型包装、四方シール型包装等が挙げられ、それらの包装に、上述のギザ部、切込み部及びノッチ等、並びに所望によるガイド用ライン等から構成される簡易開封部を組み合わせることができる。さらに、上記包装が、三方シール型包装、四方シール型包装等の場合には、簡易開封部として、複層から構成される包装の中で、ある層を凝集破壊させながらめくり上げて開封する凝集剥離型、又は２つの層の間を層間剥離させながらめくり上げて開封する層間剥離型の包装の態様も、上述の簡易開封部に含まれる。
【００６４】
本発明に用いられるワイプスとしては、当技術分野で、一般的にワイプスとして用いられているものであれば特に制限されず、好適に使用することができる。本発明に用いられるワイプスは、ドライタイプ又はウェットタイプであることができる。上記ワイプスの素材としては、親水性繊維、又は親水性繊維及び非親水性繊維の混合物から成る不織布又は織布であることができる。上記親水性繊維としては、再生セルロース繊維、例えば、レーヨン、天然繊維、例えば、コットン、パルプ等が挙げられ、そして上記非親水性繊維としては、ポリエステル、ポリプロピレン等が挙げられる。
【００６５】
上記ワイプスは、使用後にトイレに流される場合があることを考慮すると、水解性を有するもの、特に水解性を有する不織布であることが好ましい。
【００６６】
上記ワイプスには、湿潤強度をさらに高めるために、バインダーを添加することもできる。上記バインダーとして、例えば、カルボキシメチルセルロース、メチルセルロース、エチルセルロース、ベンジルセルロース等のアルキルセルロース、ポリビニルアルコール、スルホン酸基又はカルボキシル基を所定量含有する変性ポリビニルアルコール、ポリアミドエピクロロヒドリン等を挙げることができる。
【００６７】
上記ワイプスがウェットタイプである場合であって、その素材が親水性繊維及び非親水性繊維の混合物から成るときには、上記親水性繊維の比率は、全繊維の質量に基づいて、４０質量％以上であることが好ましい。ワイプスが後述の薬液を保持しやすくなるからである。
上記ワイプスとしては、坪量が２０〜１００ｇ/ｍ2であることが、使いやすさの観点から好ましい。
【００６８】
上記ワイプスがウェットタイプである場合には、当該ワイプスは、ワイプスの質量に対して、１００〜５００質量％の薬液を含むことができる。当該薬液としては、精製水に必要最小限度の防腐剤を添加したものを挙げることができる。また、上記薬液には、必要に応じて、当技術分野で用いられている各種添加剤、例えば、界面活性剤、保湿剤、清涼感付与剤、エモリエント剤、ｐＨ調整剤、香料、酸化防止剤、キレート剤、植物エキス、褐色防止剤、消炎剤、皮膚賦活剤、収斂剤、触感改善剤を１種又は２種以上添加することができる。
【００６９】
上記ワイプスの包装の素材としては、当技術分野で、一般的に包装用に用いられているものであれば特に制限されず、好適に使用することができるが、例えば、ポリエステル、ポリプロピレン、ポリエチレンテレフタレート等のフィルム、アルミ箔、紙等を単独又は複層化したものを用いることができる。上述の三方シール型包装及び四方シール型包装では、シール部分は、上記フィルム部分を熱、超音波等で溶融接着するか、又はホットメルト、接着剤等を用いて接着することにより形成されうる。
【００７０】
本発明に用いられる第２の個包装体２２は、本発明の個包装製品の開封の方向を分かりやすくするように、その形態に変化を持たせる（例えば、第２の端部２０の長さに対して、第１の端部１９の長さの割合を変化させる）か、又は第２の個包装体２２の表面に印刷を付することができる。図８は、第２の個包装体２２の形態のバリエーションの例を示す図である。なお、図９では、第２の個包装体２２の、個包装製品１における位置等を分かりやすくするため、第１の個包装体２を点線で示してある。開封時には、摘持用タブ４又は第２の個包装体２２を、向かって左側に持ち上げて、個包装製品１を開封する。
【００７１】
図８（ａ）では、第２の個包装体２２は、第２の端部２０を上底とし且つ第１の端部１９を下底とする台形の形態をしている。一方、図８（ｂ）では、第２の端部２０側の２つの頂点が欠けた六角形の形態をしている。
【００７２】
このような形態を採用することにより、特に摘持用タブ４が無いか又は摘持用タブ４が第２の個包装体２２に隠れている場合において、使用者が、開封方向を容易に判断することができる。さらに、十分な光量が得られない場所であっても、個包装製品の開封方向を簡易に判断することができる。
また、第２の個包装体２２の表面に、開封方向を示すような印刷を付すこともできる。
【００７３】
図１０は、吸収性物品７がタンポン３０であり且つ第２の個包装体２２がピロー型包装を有するワイプス３Ａである個包装製品１の正面図である。
使用の際には、使用者は、例えば、摘持用タブ４又はワイプス３Ａの第２の端部２０を持って第１の個包装体２を向かって左側に開封し、中からタンポン３０を取り出し、使い終えたタンポンを包装用シート５の中に入れ、ワイプス３Ａからワイプスを取り出し、汚れた部位をきれいにし、次いで、新しいタンポン３０を装着することができる。
【００７４】
吸収性物品がタンポンである第１の個包装体としては、特開２００８−２５９５８３号公報に記載される生理用タンポンの個包装体を用いることができる。
【００７５】
図１１は、図１０に示される第１の個包装体２の展開図である。
個包装された状態では、第２の領域１０が、タンポン３０を間に挟んで、折り目線Ｙに沿って折り曲げられて中間領域１１上に折り重ねられ、次いで、第１の領域９が、折り目線Ｘに沿って折り曲げられて第２の領域１０の一部の上に折り重ねられ、摘持用タブ４により、第１の領域９が第２の領域１０の外面１３に固定されている。
【００７６】
図１０及び図１１では、摘持用タブ４が示されているが、図４（ｂ）のように、摘持用タブ４の代わりに、第２の個包装体、例えば、ワイプス３Ａにより、包装用シートの第１の領域９及び第２の領域の外面１３を固定することができる。
【符号の説明】
【００７７】
１    個包装製品
２    第１の個包装体
３    包装されたワイプス
３Ａ    ピロー型包装を有するワイプス
３Ｂ    三方シール型包装を有するワイプス
３Ｃ    四方シール型包装を有するワイプス
４    摘持用タブ
４Ｂ    摘持用タブの端部
５    包装用シート
６Ａ，６Ｂ    シールライン
７    吸収性物品
８    吸収性物品の表面
９    第１の領域
１０    第２の領域
１１    中間領域
１２    第１の領域の外面
１３    第２の領域の外面
１４Ａ    第１の領域の自由端
１４Ｂ    第１の領域の固定端
１４Ｃ    第２の領域の固定端
１４Ｄ    第２の領域の自由端
１５    第２の領域の一部
１６    第２の領域の残りの部分
１７Ａ，１７Ｂ    包装用シートの側縁
１８    接着剤
１９    第１の端部
２０    第２の端部
２１    中央領域
２２    第２の個包装体
２３    包装されたタンポン
２４    包装された陰唇間パッド
２５Ａ，２５Ｂ    第２の個包装体の側縁
２６Ａ，２６Ｂ    切込み部
２７    ガイド用ライン
２８Ａ，２８Ｂ，２８Ｃ，２８Ｄ    ノッチ
２９    包装用シートにより包装された使用済みの吸収性物品
３０    タンポン
Ｘ、Ｙ，Ｚ    折り目線
【図１】
0005430280.tif 000002
【図２】
0005430280.tif 000003
【図３】
0005430280.tif 000004
【図４】
0005430280.tif 000005
【図５】
0005430280.tif 000006
【図６】
0005430280.tif 000007
【図７】
0005430280.tif 000008
【図８】
0005430280.tif 000009
【図９】
0005430280.tif 000010
【図１０】
0005430280.tif 000011
【図１１】
0005430280.tif 000012